(57)【要約】【課題】現在のアクセル等の操作が経済的な運転操作であるか否かを容易に判断することを可能にする車両用表示装置を提供する。【解決手段】車両の速度を第１のスケール上に表示する速度表示手段と、所定時間あたりの燃料供給量である供給率を第２のスケール上に表示する供給率表示手段と、を備えた車両用表示装置１０であって、第１のスケールと、第２のスケールとが互いに等間隔で並列して表示される。供給率表示手段の第２のスケール上に表示される供給率の位置は、供給率と所定の燃費とから算出される車両の速度である計算速度と、速度表示手段の第１のスケール上に表示される速度の位置とが対応する位置であることを特徴とする。【選択図】図１
2008170186.tif 000002
【特許請求の範囲】
【請求項１】
車両の速度を第１のスケール上に表示する速度表示手段と、
所定時間あたりの燃料供給量である供給率を第２のスケール上に表示する供給率表示手段と、
を備えた車両用表示装置であって、
前記第１のスケールと前記第２のスケールとが互いに等間隔で並列して表示されることを特徴とする車両用表示装置。
【請求項２】
前記供給率表示手段の前記第２のスケール上に表示される供給率の位置は、前記供給率と所定の燃費とから算出される前記車両の計算速度と、前記速度表示手段の前記第１のスケール上に表示される速度の位置とが対応する位置であることを特徴とする請求項１に記載の車両用表示装置。
【請求項３】
車両用原動機の回転数を第１のスケール上に表示する回転数表示手段と、
所定時間あたりの燃料供給量である供給率を第２のスケール上に表示する供給率表示手段と、
を備えた車両用表示装置であって、
前記第１のスケールと前記第２のスケールとが互いに等間隔で並列して表示されることを特徴とする車両用表示装置。
【請求項４】
前記供給率表示手段の前記第２のスケール上に表示される供給率の位置は、所定の燃費と前記車両のタイヤ径と車両用減速機の減速比と前記供給率とから算出される前記車両用原動機の計算回転数と、前記回転数表示手段の前記第１のスケール上に表示される回転数の位置とが対応する位置であることを特徴とする請求項３に記載の車両用表示装置。
【発明の詳細な説明】
【技術分野】
【０００１】
本発明は、車両を駆動する原動機に供給する燃料の供給量を、車両速度または原動機の回転数とともに表示する車両用表示装置に関する。
【背景技術】
【０００２】
車両に動力を与えるエンジンを駆動するために、ガソリンや軽油等の石油燃料が用いられている。エンジンの駆動時の経済性の改善のために、燃料消費量の改善、すなわち燃費の向上が求められている。
【０００３】
ところで、燃費は運転者の運転方法にも影響されるものであり、経済的な運転により燃費の向上を図ることが可能である。そこで、従来では、運転者に経済的な運転を行なわせるために、燃費の表示を行なうことが提案されている（特許文献１参照）。また、現在の燃料噴射量の表示を行なうことも提案されている。
【０００４】
しかし、特許文献１において表示される燃費は、過去の平均速度と燃料消費量とに基づいて算出されるものであり、この燃費から、現在のアクセル等の操作が燃費にどのような影響を与えるかを判断することは困難であった。
【０００５】
また、燃料噴射量は、速度によっても大きく変化するため、多い燃料噴射量における高速運転と少ない燃料噴射量における低速運転との燃費が同等となることもある。そのため現在の燃料噴射量の表示を目視しただけでは、現在のアクセル等の操作が経済的な操作であるか否かの判断を下すことが困難であった。
【特許文献１】特開平３−５６８２７号公報
【発明の開示】
【発明が解決しようとする課題】
【０００６】
そこで、本発明では現在のアクセル等の操作が経済的な運転操作であるか否かを容易に判断することを可能にする車両用表示装置を提供することを課題とする。
【課題を解決するための手段】
【０００７】
前記課題を達成するために、本発明の車両用表示装置は、車両の速度を第１のスケール上に表示する速度表示手段と、所定時間あたりの燃料供給量である供給率を第２のスケール上に表示する供給率表示手段と、を備えた車両用表示装置であって、前記第１のスケールと前記第２のスケールとが互いに等間隔で並列して表示されることを特徴とする。
【０００８】
このような車両用表示装置によれば、現在の車両の速度と燃料の供給率とを容易に比較することが可能であり、現在の速度の表示位置を基準として供給率の大小を容易に視認することが可能になる。したがって、速度の表示位置を基準として供給率が高くなるほど運転操作がより非経済的であることを、容易に認識できるようになる。一方、速度の表示位置を基準として供給率が低くなるほど運転操作がより経済的であることを、容易に認識できるようになる。
【０００９】
また、前記供給率表示手段の前記第２のスケール上に表示される供給率の位置は、前記供給率と所定の燃費とから算出される前記車両の計算速度と、前記速度表示手段の前記第１のスケール上に表示される速度の位置とが対応する位置である構成とするのがよい。
【００１０】
このような車両用表示装置によれば、例えば、所定の燃費より低い燃費となる運転操作をしているときには、速度表示手段の第１のスケール上に示される速度の表示位置を超えるように、供給率表示手段の第２のスケール上において供給率が表示されるようになる。したがって、所定の燃費に基づいて、現在のアクセル等の操作が経済的な操作であるか否かを視認により容易に判断できるようになる。
【００１１】
また、本発明は、車両用原動機の回転数を第１のスケール上に表示する回転数表示手段と、所定時間あたりの燃料供給量である供給率を第２のスケール上に表示する供給率表示手段と、を備えた車両用表示装置であって、前記第１のスケールと前記第２のスケールとが互いに等間隔で並列して表示されることを特徴としている。
【００１２】
このような車両用表示装置によれば、現在の車両用原動機の回転数と燃料の供給率とを容易に比較することが可能であり、現在の回転数の表示位置を基準として供給率の大小を容易に視認することが可能になる。したがって、回転数の表示位置を基準として供給率が高くなるほど運転操作がより非経済的であることを、容易に認識できるようになる。一方、速度の表示位置を基準として供給率が低くなるほど運転操作がより経済的であることを、容易に認識できるようになる。
【００１３】
さらに、前記供給率表示手段の前記第２のスケール上に表示される供給率の位置は、所定の燃費と前記車両のタイヤ径と車両用減速機の減速比と前記供給率とから算出される前記車両用原動機の計算回転数と、前記回転数表示手段の前記第１のスケール上に表示される回転数の位置とが対応する位置である構成とするのがよい。
【００１４】
このような車両用表示装置によれば、例えば、所定の燃費より低い燃費となる運転操作をしているときには、回転数表示手段の第１のスケール上に示される回転数の位置を超えるように、供給率表示手段の第２のスケール上において供給率が表示されるようになる。したがって、所定の燃費に基づいて、現在のアクセル等の操作が経済的な操作であるか否かを視認により容易に判断できるようになる。
【発明の効果】
【００１５】
以上説明したように、本発明の車両用表示装置によれば、速度の表示位置を基準として供給率が高くなるほど運転操作がより非経済的であること、および速度の表示位置を基準として供給率が低くなるほど運転操作がより経済的であることを、容易に認識できるようになる。さらに、所定の燃費に基づいて算出される計算速度を基準として、現在のアクセル等の操作が経済的な操作であるか否かを視認により容易に判断できる。
【００１６】
さらに、回転数の表示位置を基準として供給率が高くなるほど運転操作がより非経済的であること、および回転数の表示位置を基準として供給率が低くなるほど運転操作がより経済的であることを、容易に認識できるようになる。また、所定の燃費に基づいて算出される計算回転数を基準として、現在のアクセル等の操作が経済的な操作であるか否かを視認により容易に判断できる。
【発明を実施するための最良の形態】
【００１７】
以下、本発明の実施形態について図面を参照して説明する。
図１は、本発明の一実施形態を適用した車両用表示装置の外観を示す正面図である。
【００１８】
車両用表示装置１０には、車両の速度を表示する速度表示手段としてのスピードメータ２０、エンジン（車両用原動機）の回転数を表示するタコメータ３０、および所定時間あたりの燃料供給量に基づく供給率を表示する供給率表示手段としての燃料噴射率メータ４０等が設けられる。スピードメータ２０とタコメータ３０とは左右に並ぶように配置される。後記するように、燃料噴射率メータ４０はスピードメータ２０と一体に設けられており、互いに等間隔で並列した曲線上に速度表示目盛２１および噴射率表示目盛４１が描かれている。
【００１９】
スピードメータ２０には、円弧状の曲線に沿って０〜１８０ｋｍ／ｈの範囲で、時計回りに１０ｋｍ／ｈ毎の速度表示目盛２１が描かれる（第１のスケール）。さらに、２ｋｍ／ｈ毎に補助目盛（図示せず）が描かれる。
【００２０】
また、スピードメータ２０には、速度表示針２２が設けられる。速度表示針２２は、速度表示目盛２１が形成する円弧の中心を軸に回動可能である。なお、速度表示針２２は、車速センサ（図示せず）により検出される現在の車両速度に相当する速度表示目盛２１を指すように、制御ユニット（図示せず、以下同じ）により駆動される。
【００２１】
タコメータ３０には、円弧状の曲線に沿って０〜８０００ｒｐｍの範囲で時計回りに５００ｒｐｍ毎に回転数表示目盛３１が描かれる。さらに、１００ｒｐｍ毎に補助目盛（図示せず）が描かれる。
【００２２】
また、タコメータ３０には、回転数表示針３２が設けられる。回転数表示針３２は、回転数表示目盛３１が描かれる円弧の中心を軸に回動可能である。なお、回転数表示針３２は、回転数算出器（図示せず）により算出される現在のエンジンの回転数に相当する回転数表示目盛３１を指すように、制御ユニットにより駆動される。
【００２３】
燃料噴射率メータ４０には、速度表示目盛２１が形成する円弧と中心を同じにする円弧状の曲線に沿って、０〜２００ｃｃ／ｍｉｎの範囲で、時計回りに５０ｃｃ／ｍｉｎ毎の噴射率表示目盛４１が描かれる（第２のスケール）。
【００２４】
また、燃料噴射率メータ４０には、噴射率表示目盛４１が形成する円弧に沿って円弧状の噴射率表示ディスプレイ４２が設けられる。噴射率表示ディスプレイ４２は、例えば液晶ディスプレイであり、図２〜図７において斜線により示すように、そのときの噴射率が帯状グラフとして表示される。噴射率表示ディスプレイ４２は、燃料噴射率算出器（図示せず）により算出される現在のエンジンへの燃料の噴射率（供給率）に相当する噴射率表示目盛４１の位置を示すように、制御ユニットにより駆動される。
【００２５】
ここで、噴射率表示目盛４１と速度表示目盛２１との描かれる位置関係は、以下のように関連付けて定められる。
【００２６】
車両用表示装置１０が設けられる車両では、１０．１５モード燃費が予め実測される。それぞれの噴射率表示目盛４１が示す噴射率に１０．１５モード燃費を乗じることにより、噴射率において１０．１５モード燃費を達成させる速度が算出される。算出された計算速度の値を示す速度表示目盛２１の位置に対応する位置に噴射率表示目盛４１が描かれる。なお、速度表示目盛２１の位置に対応する噴射率表示目盛４１の位置とは、速度表示目盛２１を径方向に沿って円弧の中心に向かって延ばした直線と燃料噴射率メータ４０との交点である。
【００２７】
例えば、本実施形態の車両では１０．１５モード燃費が１５ｋｍ／ｌであり、５０ｃｃ／ｍｉｎの噴射率に対する計算速度は、４５ｋｍ／ｈである。同様に、１００ｃｃ／ｍｉｎ、１５０ｃｃ／ｍｉｎおよび２００ｃｃ／ｍｉｎの噴射率に対する計算速度は、それぞれ９０ｋｍ／ｈ、１３５ｋｍ／ｈ、および１８０ｋｍ／ｈである。
【００２８】
したがって、５０ｃｃ／ｍｉｎ、１００ｃｃ／ｍｉｎ、１５０ｃｃ／ｍｉｎ、および２００ｃｃ／ｍｉｎの噴射率の噴射率表示目盛４１は、それぞれ４５ｋｍ／ｈ、９０ｋｍ／ｈ、１３５ｋｍ／ｈ、および１８０ｋｍ／ｈの速度の速度表示目盛２１に対応する位置に描かれる。
【００２９】
以上のような構成の車両用表示装置１０によれば、速度表示針２２の示す位置を基準にして現在の噴射率を示す位置を表示可能となる。以下に説明するように、速度表示針２２の位置を基準に現在の噴射率を示す位置を表示することにより、運転者に経済的な運転を行なうための運転操作を知覚させることが可能になる。
【００３０】
様々な運転操作パターンにおける車両の速度および噴射率と燃費との関係について、図２〜図７を用いて説明する。図２は、時速４０ｋｍ／ｈで走行時のスピードメータ２０および燃料噴射率メータ４０の表示状態を示す図である。図３は、時速８０ｋｍ／ｈで走行時のスピードメータ２０および燃料噴射率メータ４０の表示状態を示す図である。図４は、時速１２０ｋｍ／ｈで走行時のスピードメータ２０および燃料噴射率メータ４０の表示状態を示す図である。図５は、加速走行時のスピードメータ２０および燃料噴射率メータ４０の表示状態を示す図である。図６は、惰性走行時のスピードメータ２０および燃料噴射率メータ４０の表示状態を示す図である。図７は、アイドリング時のスピードメータ２０および燃料噴射率メータ４０の表示状態を示す図である。
【００３１】
ここで、本実施形態の車両用表示装置１０が設けられる車両は、巡航速度にして概ね４０〜８０ｋｍ／ｈの速度で走行するときに、最高燃費となるように設計される。例えば、４０〜８０ｋｍ／ｈの範囲内の一定速度で運転しているときの燃費は、１８ｋｍ／ｌであって、１０．１５モードの燃費より高い。
【００３２】
４０ｋｍ／ｈの一定速度で運転しているときの噴射率は、３７．０ｃｃ／ｍｉｎである。したがって、このときの燃料噴射率メータ４０には、図２に示すように、速度表示針２２に重なる位置の噴射率（４４．４ｃｃ／ｍｉｎ）より低い噴射率（３７．０ｃｃ／ｍｉｎ）が示される。
【００３３】
８０ｋｍ／ｈの一定速度で運転しているときの噴射率は、７４．１ｃｃ／ｍｉｎである。したがって、このときの燃料噴射率メータ４０には、図３に示すように、速度表示針２２に重なる位置の噴射率（８８．９ｃｃ／ｍｉｎ）より低い噴射率（７４．１ｃｃ／ｍｉｎ）が示される。
【００３４】
このように、燃料噴射率メータ４０に示される噴射率が速度表示針２２に重なる位置の噴射率より低いことが容易に視認でき、このときに経済的な運転操作を行なっていることが判断可能である。
【００３５】
次に、燃費が最高となる４０〜８０ｋｍ／ｈの速度範囲を超えると、空気抵抗が増大することにより燃費が低下する。例えば、本実施形態では、１２０ｋｍ／ｈの一定速度で運転しているときの燃費が１２ｋｍ／ｌであって、１０．１５モードの燃費より低くなる。
【００３６】
１２０ｋｍ／ｈの一定速度で運転しているときの噴射率は、１６６．７ｃｃ／ｍｉｎである。したがって、このときの燃料噴射率メータ４０には、図４に示すように速度表示針２２に重なる位置の噴射率（１３３．３ｃｃ／ｍｉｎ）より高い噴射率（１６６．７ｃｃ／ｍｉｎ）が示される。
【００３７】
このように、燃料噴射率メータ４０に示される噴射率が速度表示針２２に重なる位置の噴射率より高いことが容易に視認でき、このときに経済性の悪い運転操作を行なっていることが判断可能である。
【００３８】
また、車両の加速時には、アクセルペダルを踏み込むことにより、噴射率が即座に上昇し、その後に噴射率に追いつくように車両が加速される。このとき、燃料噴射率メータ４０およびスピードメータ２０の表示も、まず噴射率が急上昇し、その後に噴射率の表示位置を追うように速度表示針２２の指し示す位置が移動していく（図５矢印Ａ参照）。
【００３９】
アクセルペダルの踏込み量が大きい程、速度表示針２２に重なる位置の噴射率と、燃料噴射率メータ４０に示される噴射率の乖離が大きくなる。それゆえ、アクセルペダルの踏込み量の度合い、すなわち加速の度合いにより燃費の良し悪しを判断可能になる。
【００４０】
一方、惰性走行時、すなわちアクセルペダルを完全に戻す時、フュエルカットが行なわれ、燃料の供給が停止される。したがって、噴射率が即座にゼロとなり、車両は徐々に減速される。燃料噴射率メータ４０およびスピードメータ２０の表示も、まず噴射率がゼロの表示となり、その後に噴射率の表示位置を追うように速度表示針２２の指し示す位置が移動していく（図６矢印Ｂ参照）。
【００４１】
このような惰性走行時には燃費が最も高い状態となる。したがって、惰性走行の時間を長くするほど、燃費は改善される。
【００４２】
また、アイドリング時には、車両の速度はゼロである一方で、噴射率は０ｃｃ／ｍｉｎを超えているので、アイドリングが燃費を悪化させることを視認することができる（図７参照）。なお、エアコンがＯＮにされると、噴射率の値がさらに上昇した値として表示されることとなるので、エアコンの作動が燃費を悪化させることも視認することができる。
【００４３】
なお、以上説明した本実施形態の車両用表示装置１０では、速度表示目盛２１と噴射率表示ディスプレイ４２とが互いに沿うように配置される構成について説明したが、回転数表示目盛３１と噴射率表示ディスプレイ４２とが互いに沿うように配置されるように構成してもよい。
【００４４】
例えば、図８に示すように、回転数表示目盛３１が配置される円弧（第１のスケール）に沿って、回転数表示目盛３１の外側に噴射率表示ディスプレイ４２が形成されるように構成してもよい。このような構成によっても、回転数を基準とした噴射率の増減が視認できるので、運転者に経済的な運転を行なうための運転操作を知覚させることが可能になる。
【００４５】
ここで、噴射率表示目盛４１と回転数表示目盛３１との描かれる位置関係は、以下のように関連付けて定められる。
【００４６】
このような車両用表示装置１０が設けられる車両では、前記実施形態と同様に、１０．１５モード燃費が予め実測される。それぞれの噴射率表示目盛４１が示す噴射率に１０．１５モード燃費を乗じることにより、噴射率において１０．１５モード燃費を達成させる速度が算出される。そして、算出された計算速度の値に基づいて、タイヤの外径より求めたタイヤの外周、減速比等から、噴射率において１０．１５モード燃費を達成させる回転数が計算される。算出された計算回転数の値を示す回転数表示目盛３１の位置に対応する位置に噴射率表示目盛４１が描かれる。なお、回転数表示目盛３１の位置に対応する噴射率表示目盛４１の位置とは、回転数表示目盛３１を径方向に沿って円弧の中心から離れる側に向かって延ばした直線と燃料噴射率メータ４０との交点である。
【００４７】
また、本実施形態ではスピードメータ２０および燃料噴射率メータ４０それぞれに、速度表示目盛２１および噴射率表示目盛４１が描かれる構成であるが、目盛２１、４１の少なくとも一方が描かれなくても本実施形態と同様の効果を得ることは可能である。目盛が描かれなくても、噴射率の表示位置が車両の速度の表示位置を超えているか否かの視認、および速度の表示位置と噴射率の表示位置との乖離状態の視認が可能なので、経済的な運転を行なうための運転操作を知覚することが可能だからである。
【００４８】
また、本実施形態において、噴射率表示目盛４１は、表示する噴射率および１０．１５モード燃費において走行する場合の速度を示す速度表示目盛２１の位置に対応するように描かれる構成であるが、いかなる燃費に基づいて対応する速度が定められてもよい。
【００４９】
１０．１５モード燃費を用いて対応させる速度が算出されれば、１０．１５モード燃費より高い燃費にさせる運転操作を経済的な運転操作として表示可能である。一方、他の様々な運転パターンにおける平均的な燃費に基づいて対応させる速度を定めれば、平均的な燃費より高い燃費にさせる運転操作を経済的な運転操作として表示可能となる。また、１０．１５モード燃費のように実測値でなく、理論値や理想値である燃費を用いて対応させる速度を定めてもよい。
【００５０】
また、本実施形態において、噴射率表示目盛４１の描かれる位置は対応させる速度を示す速度表示目盛２１に相対する位置に描かれる構成であるが、速度表示目盛２１の位置とは無関係に描かれてもよい。それぞれの運転操作において、速度の表示位置を基準にした噴射率の表示位置を視認することにより、経済的な運転を行うための運転操作を知覚することが可能である。
【００５１】
また、本実施形態では、現在の噴射率に対応する位置を示す噴射率表示ディスプレイ４２が用いられる構成であるが、スピードメータ２０と同様に、針を用いて噴射率を示す構成であってもよい。逆に、本実施形態では、スピードメータ２０において速度表示針２２を用いて車両の速度を示す構成であるが、燃料噴射率メータ４０と同様に、円弧状のディスプレイを用いて速度を示す構成であってもよい。
【００５２】
また、本実施形態では、円弧状の曲線に沿って速度表示目盛２１および噴射率表示目盛４１が描かれ、円弧状の曲線に沿った噴射率表示ディスプレイ４２が用いられる構成であるが、円弧状の曲線でなくてもよい。
【００５３】
例えば、直線、曲線、および直線と曲線とを有する線に沿って速度表示目盛２１および噴射率表示目盛４１が描かれ、直線、曲線、および直線と曲線とを有する線に沿った噴射率表示ディスプレイ４２が用いられてもよい。なお、直線や曲線上に速度表示目盛２１および噴射率表示目盛４１が描かれる場合には、速度表示目盛２１および噴射率表示目盛４１が描かれる互いの線において、最も接近する２点の位置が互いに対応する目盛２１、４１の位置である。
【００５４】
なお、直線に沿う場合には、互いに平行で向かい合う直線上に速度表示目盛２１および噴射率表示目盛４１が描かれ、噴射率表示目盛２１に平行な直線状の噴射率表示ディスプレイ４２が設けられることが好ましい。また、曲線に沿う場合には、互いに等間隔な曲線上に速度表示目盛２１および噴射率表示目盛４１が描かれ、噴射率表示目盛４１に沿った曲線状の噴射率表示ディスプレイ４２が設けられることが好ましい。また、速度表示目盛２１が形成する線と噴射率表示目盛４１が形成する線とが、等間隔でなくてもよく、両線がお互いに沿うように配置されていれば、速度に対するおおよその噴射量を視認することは可能である。
【００５５】
また、本実施形態では、時計回りに数値が増加するように、速度表示目盛２１および噴射率表示目盛４１が描かれ、車両速度および噴射率は時計回りに増加するように表示される構成であるが、反時計回りでもよい。また、速度表示目盛２１および噴射率表示目盛４１の形成する線が直線部または曲線部を有する場合には、示される車両速度および噴射率の増加方向が同じ向きであればよい。
【図面の簡単な説明】
【００５６】
【図１】本発明の一実施形態を適用した車両用表示装置の外観を示す正面図である。
【図２】時速４０ｋｍ／ｈで走行時のスピードメータおよび燃料噴射率メータの表示状態を示す図である。
【図３】時速８０ｋｍ／ｈで走行時のスピードメータおよび燃料噴射率メータの表示状態を示す図である。
【図４】時速１２０ｋｍ／ｈで走行時のスピードメータおよび燃料噴射率メータの表示状態を示す図である。
【図５】加速走行時のスピードメータおよび燃料噴射率メータの表示状態を示す図である。
【図６】惰性走行時のスピードメータおよび燃料噴射率メータの表示状態を示す図である。
【図７】アイドリング時のスピードメータおよび燃料噴射率メータの表示状態を示す図である。
【図８】本実施形態の変形例であって、燃料噴射率メータを周囲に配置したタコメータを示す図である。
【符号の説明】
【００５７】
１０  車両用表示装置
２０  スピードメータ（速度表示手段）
２１  速度表示目盛
２２  速度表示針
３０  タコメータ（回転数表示手段）
３２  回転数表示針
４０  燃料噴射率メータ（供給率表示手段）
４１  噴射率表示目盛
４２  噴射率表示ディスプレイ
【図１】
2008170186.tif 000003
【図２】
2008170186.tif 000004
【図３】
2008170186.tif 000005
【図４】
2008170186.tif 000006
【図５】
2008170186.tif 000007
【図６】
2008170186.tif 000008
【図７】
2008170186.tif 000009
【図８】
2008170186.tif 000010